【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
埋込型薬剤送達装置であって、
該装置は、
治療薬剤を含むカテーテル流体を受け取るための入力ポート隔壁と、
必要に応じてカテーテル流体を除去するための出力ポート隔壁と、
ある体積の該治療薬剤を保持する埋込型送達カテーテルであって、
ｉ．該入力ポート隔壁と流体連通している近位端であって、患者の蝸牛の外部への配置に適合された近位端と、
ｉｉ．該カテーテルから流体を除去するための出力隔壁を含む遠位端であって、該患者の蝸牛の内部への配置に適合された遠位端と、
ｉｉｉ．隣接組織への該治療薬剤の拡散のための薬剤透過性表面であって、該患者の蝸牛の内部への配置に適合された薬剤透過性表面と
を有する埋込型送達カテーテルと
を備えている、装置。
【請求項２】
前記送達カテーテルは、信号処理回路を含む埋込型刺激装置筐体に接続される、請求項１に記載の装置。
【請求項３】
前記埋込型刺激装置筐体は、蝸牛インプラントシステムの一部である、請求項２に記載の装置。
【請求項４】
前記送達カテーテルは、埋込型刺激電極の一要素である、請求項１に記載の装置。
【請求項５】
前記刺激電極は、蝸牛インプラントシステムの一要素である、請求項４に記載の装置。
【請求項６】
前記送達カテーテルは、該カテーテルを通る流体流動を機械的に濾過するための半透過性フィルタを含む、請求項１に記載の装置。
【請求項７】
前記半透過性フィルタは、薬剤溶出ポリマーを含む、請求項６に記載の装置。
【請求項８】
前記半透過性フィルタは、薬剤溶出ゲルを含む、請求項６に記載の装置。
【請求項９】
前記カテーテルは、シリコーンマトリクス上部構造を含む、請求項６に記載の装置。
【請求項１０】
前記入力ポート隔壁と前記送達カテーテルとの間の流体連通を提供する入力チャネルをさらに備えている、請求項１に記載の装置。
【請求項１１】
前記治療薬剤は、前記送達カテーテルからの前記治療薬剤の拡散を加速するための浸透圧性薬剤と混合される、請求項１に記載の装置。
【請求項１２】
前記治療薬剤内の荷電分子性物質を駆動することにより、前記装置内で前記治療薬剤を変位させるための電気信号を印加する電荷駆動構成をさらに備えている、請求項１に記載の装置。
【請求項１３】
前記電荷駆動構成は、１対の電荷駆動電極を含む、請求項１２に記載の装置。
【請求項１４】
前記電荷駆動電極は、前記カテーテルの内側の活性電極と、該カテーテルの外側の接地電極とを含む、請求項１３に記載の装置。
【請求項１５】
前記電気信号は、電荷平衡非対称パルスを含む、請求項１２に記載の装置。
【請求項１６】
前記電荷駆動構成は、前記治療薬剤を前記カテーテルから前記隣接組織の中へ変位させる、請求項１２に記載の装置。
【請求項１７】
前記治療薬剤内の磁気分子性物質を駆動することにより、前記装置内で該治療薬剤を変位させるための磁力を印加する磁気駆動構成をさらに備えている、請求項１に記載の装置。
【請求項１８】
前記磁気駆動構成は、前記治療薬剤を前記カテーテルから前記隣接組織の中へ変位させる、請求項１７に記載の装置。
【請求項１９】
前記磁気駆動構成は、前記治療薬剤内の磁気分子性物質に磁気吸引力を及ぼし、前記薬剤透過性表面を通してそれらを前記隣接組織に引き込む、前記カテーテルの外側の少なくとも１つのアトラクタ磁石を含む、請求項１７に記載の装置。
【請求項２０】
前記磁気駆動構成は、前記装置内で前記治療薬剤を変位させるための１対の駆動磁石を含む、請求項１７に記載の装置。
【請求項２１】
前記磁石は、前記カテーテル内のリペラー磁石と、前記カテーテルの外側のアトラクタ磁石とを含み、該リペラー磁石と該アトラクタ磁石とは、前記治療薬剤を前記カテーテルから前記隣接組織に変位させる、請求項２０に記載の装置。
【手続補正２】
【補正対象書類名】明細書
【補正対象項目名】００２１
【補正方法】変更
【補正の内容】
【００２１】
埋込型薬剤容器構成に治療薬剤を導入する別の方法の実施形態は、治療薬剤を含む送達シリンジの針を、患者の皮膚を通して埋込型薬剤容器の入力ポート隔壁に挿入することから始まる。別の受け取りシリンジの針は、患者の皮膚を通して埋込型薬剤容器の出力隔壁に挿入される。治療薬剤は、送達シリンジから薬剤容器に注入され、流体は、治療薬剤を薬剤容器に導入するように、薬剤容器から受け取りシリンジに引き込まれる。針は、治療薬剤が薬剤容器に導入された後に、隔壁から除去され得る。
本発明は、例えば、以下の項目も提供する。
（項目１）
埋込型薬剤送達装置であって、
治療薬剤を受け取るための入力ポート隔壁と、
ある体積の該治療薬剤を保持する埋込型送達カテーテルであって、
ｉ．該入力ポート隔壁と流体連通している近位端と、
ｉｉ．該カテーテルから流体を除去するための出力隔壁を含む、遠位端と、
ｉｉｉ．隣接組織への該治療薬剤の拡散のための薬剤透過性表面と
を有する埋込型送達カテーテルと
を備えている、装置。
（項目２）
前記送達カテーテルは、信号処理回路を含む埋込型刺激装置筐体に接続される、項目１に記載の装置。
（項目３）
前記埋込型刺激装置筐体は、蝸牛インプラントシステムの一部である、項目２に記載の装置。
（項目４）
前記送達カテーテルは、埋込型刺激電極の一要素である、項目１に記載の装置。
（項目５）
前記刺激電極は、蝸牛インプラントシステムの一要素である、項目４に記載の装置。
（項目６）
前記送達カテーテルは、該カテーテルを通る流体流動を機械的に濾過するための半透過性フィルタを含む、項目１に記載の装置。
（項目７）
前記半透過性フィルタは、薬剤溶出ポリマーを含む、項目６に記載の装置。
（項目８）
前記半透過性フィルタは、薬剤溶出ゲルを含む、項目６に記載の装置。
（項目９）
前記カテーテルは、シリコーンマトリクス上部構造を含む、項目６に記載の装置。
（項目１０）
前記入力ポート隔壁と前記送達カテーテルとの間の流体連通を提供する、入力チャネルをさらに備えている、項目１に記載の装置。
（項目１１）
前記治療薬剤は、前記送達カテーテルからの前記治療薬剤の拡散を加速するための浸透圧性薬剤と混合される、項目１に記載の装置。
（項目１２）
前記治療薬剤内の荷電分子性物質を駆動することにより、前記装置内で前記治療薬剤を変位させるための電気信号を印加する電荷駆動構成をさらに備えている、項目１に記載の装置。
（項目１３）
前記電荷駆動構成は、１対の電荷駆動電極を含む、項目１２に記載の装置。
（項目１４）
前記電荷駆動電極は、前記カテーテルの内側の活性電極と、該カテーテルの外側の接地電極とを含む、項目１３に記載の装置。
（項目１５）
前記電気信号は、電荷平衡非対称パルスを含む、項目１２に記載の装置。
（項目１６）
前記電荷駆動構成は、前記治療薬剤を前記カテーテルから前記隣接組織の中へ変位させる、項目１２に記載の装置。
（項目１７）
前記治療薬剤内の磁気分子性物質を駆動することにより、前記装置内で該治療薬剤を変位させるための磁力を印加する磁気駆動構成をさらに備えている、項目１に記載の装置。
（項目１８）
前記磁気駆動構成は、前記治療薬剤を前記カテーテルから前記隣接組織の中へ変位させる、項目１７に記載の装置。
（項目１９）
前記磁気駆動構成は、前記治療薬剤内の磁気分子性物質に磁気吸引力を及ぼし、前記薬剤透過性表面を通してそれらを前記隣接組織に引き込む、前記カテーテルの外側の少なくとも１つのアトラクタ磁石を含む、項目１７に記載の装置。
（項目２０）
前記磁気駆動構成は、前記装置内で前記治療薬剤を変位させるための１対の駆動磁石を含む、項目１７に記載の装置。
（項目２１）
前記磁石は、前記カテーテル内のリペラー磁石と、前記カテーテルの外側のアトラクタ磁石とを含み、該リペラー磁石と該アトラクタ磁石とは、前記治療薬剤を前記カテーテルから前記隣接組織に変位させる、項目２０に記載の装置。
（項目２２）
埋込型薬剤送達装置であって、
１次体積の治療薬剤を保持し、該治療薬剤を受け取るための入力ポート隔壁と流体連通している皮下の１次容器と、
該１次容器と流体連通しており、２次体積の該治療薬剤を保持する皮下の２次容器であって、
ｉ．隣接組織の中への該治療薬剤の拡散のための薬剤透過性表面と、
ｉｉ．該２次容器内の流体交換のためのプライミング隔壁と
を有する皮下の２次容器と
を備えている、装置。
（項目２３）
治療薬剤を含む流体を移送するための装置であって、
送達体積の治療薬剤流体を埋込型システムに注入するための送達ピストンを有する送達シリンジと、
回収体積の流体を該埋込型システムから除去するための受け取りピストンを有する、受け取りシリンジと、
中心連結軸の周囲で回転するピストン連結ロッドであって、該ピストン連結ロッドが、該送達ピストンおよび該受け取りピストンのそれぞれに接続されることにより、該送達ピストンが該送達シリンジに押し込まれる場合に、該連結ロッドは、同一量で該受け取りピストンを押し出すように回転する、ピストン連結ロッドと
を備えている、装置。
（項目２４）
治療薬剤を送達する方法であって、
該治療薬剤を含む送達シリンジの針を埋込型１次容器の入力ポート隔壁に挿入することと、
受け取りシリンジの針を該１次容器と流体連通している埋込型２次容器のプライミング隔壁に挿入することと、
該送達シリンジから該１次容器に該治療薬剤を注入することと、
該１次容器と該２次容器とを該治療薬剤でプライミングするために、該２次容器から該受け取りシリンジの中へ流体を回収することと
を含む、方法。
（項目２５）
埋込型薬剤容器構成に治療薬剤を導入する方法であって、
該治療薬剤を含む送達シリンジの針を、患者の皮膚を通して埋込型薬剤容器の入力ポート隔壁に挿入することと、
受け取りシリンジの針を、該患者の皮膚を通して該埋込型薬剤容器の出力隔壁に挿入することと、
該送達シリンジから該薬剤容器に該治療薬剤を注入することと、
該治療薬剤を該薬剤容器に導入するために、該薬剤容器から該受け取りシリンジの中へ流体を回収することと
を含む、方法。